(57)【要約】【課題】地震時においてエキスパンションジョイントカバーの床部材が元の位置からずれることによる不都合を防止することができ、組み付けが容易で、床部材に後加工を行う必要のないエキスパンションジョイントカバーを提供する。【解決手段】免震構造物の外壁９０と地盤９２の間の溝９３に架設されるエキスパンションジョイントカバーであって、床部材１と、床部材１を外壁９０に固定する取付金具２とを備えている。床部材１の一端には幅方向に延在する取付棒１ｄが固定されており、取付棒１ｄは取付金具２によって回動可能に枢支されている。【選択図】        図１
2007154469.tif 000002
【特許請求の範囲】
【請求項１】
免震構造物と非免震構造物との間隙を塞ぐためのエキスパンションジョイントカバーであって、
該間隙上に架設された床部材と、該床部材を該免震構造物側又は該非免震構造物側に固定する取付手段とを備え、  
該床部材の該取付手段に近い側の一端には、幅方向に延在する取付棒が固定されており、該取付棒は該取付手段によって回動可能に枢支されていることを特徴とするエキスパンションジョイントカバー。
【請求項２】
免震構造物と非免震構造物との間隙を塞ぐためのエキスパンションジョイントカバーであって、
該間隙上に架設された床部材と、該床部材を該免震構造物側又は該非免震構造物側に固定する取付手段とを備え、
該床部材は第１床部材と、第２床部材と、該第１床部材及び該第２床部材を連結するための連結手段とからなり、該第１床部材及び該第２床部材の一方の長さ方向の一端には幅方向に延在する連結棒が固定されており、該第１床部材及び該第２床部材の他方には該連結棒を回動可能に枢支する該連結手段が固定されていることを特徴とする請求項１記載のエキスパンションジョイントカバー。
【発明の詳細な説明】
【技術分野】
【０００１】
本発明は、免震構造物の周囲の間隙を塞ぐために設置されるエキスパンションジョイントカバーに関する。
【背景技術】
【０００２】
免震建物等の免震構造物を設置する場合、免震構造物と非免震構造物とが地震時において互いに干渉することを避けるため、免震構造物と非免震構造物との間に一定の間隔の溝が設けられる。この溝は、建物の周囲に設けられたエキスパンションジョイントカバーの床部材によって遮蔽され、床部材の上面は、通行の障害とならないようにその周囲と面一とされる。
【０００３】
しかし、地震時には免震構造物と非免震構造物とが地震動によって相対運動をするため、エキスパンションジョイントカバーの床部材の自由端が周囲の面一面を乗り上げて跳ね上がり、床部材の固定端部分が破損したり、跳ね上がった床部材が通行の邪魔となったりするおそれがある。こうした地震時におけるエキスパンションジョイントカバーの動きに対処するため、種々の提案がなされている。
【０００４】
例えば、特許文献１〜３では、エキスパンションジョイントカバーを固定するボルトをバネの付勢力で押さえることにより、エキスパンションジョイントカバーの床部材の自由端を回動可能としたものが記載されている。また、特許文献４では、エキスパンションジョイントカバーの床部材の弾性力を利用し、自由端側を上下に屈曲可能としたエキスパンションジョイントカバーが提案されている。さらに、特許文献５では、バネを介してエキスパンションジョイントカバーの床部材を固定することによって、上下動を可能とするものが提案されている。
【０００５】
これらのエキスパンションジョイントカバーは、床部材の固定端が弾性体によってフレキシブルとされているため、地震動によって床部材の自由端側が、周囲の面一面を乗り上げても、固定端部分が破損されることがない。
【０００６】
さらに、上記特許文献４に記載のエキスパンションジョイントカバーは、ヒンジによって床部材を屈曲可能とすることにより、地震時においてエキスパンションジョイントカバーの床部材が周囲の面一面を乗り上げたり、地震による地盤が相対的に上下移動を起こしたりして、床部材が跳ね上がったような場合においても、屈曲して通行の邪魔にならないようにしている。
【０００７】
【特許文献１】特開平１０−２０５００９号公報
【特許文献２】特開平１０−３１７５１６号公報
【特許文献３】特開平９−９６０１７号公報
【特許文献４】実開昭５８−２３９０９号公報
【特許文献５】実開昭６０−１３８９１０号公報
【発明の開示】
【発明が解決しようとする課題】
【０００８】
しかし、上記従来のエキスパンションジョイントカバーでは、地震時における床部材の移動による上記不都合を回避できるものの、構造が複雑で、部品点数も多く、組み付けに手間がかかるものであった。また、エキスパンションジョイントカバーの床部材に対して、組み付け時に穴あけ等の後加工を必要とするため、めっき等の表面処理をした床部材を用いた場合、後加工による穴などから腐食が進行するという問題もあった。
【０００９】
本発明は、上記従来の実情等に鑑みてなされたものであり、地震時においてエキスパンションジョイントカバーの床部材が元の位置からずれることによる不都合を防止することができ、組み付けが容易で、床部材に後加工を行う必要のないエキスパンションジョイントカバーを提供することを解決すべき課題としている。
【課題を解決するための手段】
【００１０】
第１発明のエキスパンションジョイントカバーは、免震構造物と非免震構造物との間隙を塞ぐためのエキスパンションジョイントカバーであって、該間隙上に架設された床部材と、該床部材を該免震構造物側又は該非免震構造物側に固定する取付手段とを備え、該床部材の該取付手段に近い側の一端には、幅方向に延在する取付棒が固定されており、該取付棒は該取付手段によって回動可能に枢支されていることを特徴とする。
【００１１】
第１発明のエキスパンションジョイントカバーでは、床部材の取付手段に近い側の一端に、幅方向に延在する取付棒が固定されており、取付棒は取付手段によって回動可能に枢支されている。このため、地震時において床部材の自由端が周囲の面一面を乗り上げて跳ね上がったとしても、床部材は取付棒を軸として回動することによって、その動きに追随し、破損することはない。また、床部材に固定された取付棒を取付手段によって枢支するという単純な構造であるため、部品点数が少なく、組み付けにもそれほどの手間がかからない。さらには、床部材を蝶番やヒンジを用いて固定する場合のように、床部材に穴あけなどの後加工を施す必要もないため、めっき等の表面処理をした床部材を用いた場合であっても、その耐食性を損なうことはない。
【００１２】
第２発明のエキスパンションジョイントカバーは、免震構造物と非免震構造物との間隙を塞ぐためのエキスパンションジョイントカバーであって、該間隙上に架設された床部材と、該床部材を該免震構造物側又は該非免震構造物側に固定する取付手段とを備え、該床部材は第１床部材と、第２床部材と、該第１床部材及び該第２床部材を連結するための連結手段とからなり、該第１床部材及び該第２床部材の一方の長さ方向の一端には幅方向に延在する連結棒が固定されており、該第１床部材及び該第２床部材の他方には該連結棒を回動可能に枢支する該連結手段が固定されていることを特徴とする。
【００１３】
第２発明のエキスパンションジョイントカバーでは、床部材が第１床部材と第２床部材とに分けられており、それらが連結手段によって回動可能とされている。このため、地震時において床部材の自由端が周囲の面一面を乗り上げて跳ね上がったとしても、床部材が屈曲し、通行の邪魔となることを回避することができる。また、第１床部材と第２床部材の連結は、どちらか一方の床部材に幅方向に固定された連結棒を、他方の床部材に固定された連結手段によって回動可能に枢支するだけであるため、部品点数が少なく、組み付けにもそれほどの手間がかからない。さらには、床部材を蝶番やヒンジを用いて固定する場合のように、床部材に穴あけなどの後加工を施す必要もないため、めっき等の表面処理をした床部材を用いた場合であっても、その耐食性を損なうことはない。
【発明を実施するための最良の形態】
【００１４】
以下、本発明を具体化した実施例１及び２を図面を参照しつつ説明する。
【００１５】
（実施例１）
実施例１のエキスパンションジョイントカバーは、図１に示すように、免震建築物の外壁９０と地盤９２の間にある溝９３を塞ぐために設置されるものであり、外壁９０と地盤９２の間に架設された鋼鉄製の床部材１と、床部材１を外壁９０に固定する取付金具２とを備えている。
【００１６】
床部材１は、水平面を構成する天板１ａと、天板１ａの裏面に格子状に溶接された無数の補強板１ｂと、補強板１ｂの周囲を四角く取り囲むように溶接された外周板１ｃとを有している。補強板１ｂの外壁９０側の下端角には、図２にも示すように、鉄製の丸棒材からなる取付棒１ｄが溶接によって幅方向に固定されている。また、床部材１の全体には溶融亜鉛めっきが施されている。
【００１７】
取付金具２は、ボルト２１とナット２２と座金２３とから構成されている。座金２３は、図３にも示すように、ボルト２１を挿通するための略長方形状の孔２３ａが貫設されており、座金２３の一方の面には、取付棒１ｄと整合する断面Ｕ字形状の溝２３ｂが側面に平行して形成されている。
【００１８】
また、図２に示すように、外壁９０には断面Ｌ字形状の取付用治具９１が図示しないアンカーボルトによって幅方向に固定して架設されており、取付用治具９１には孔９１ａが貫設されている。
【００１９】
以上のように構成された実施例１のエキスパンションジョイントカバーは、以下に述べる工程によって、図１に示すように、外壁９０と地盤９２の間に架設される。すなわち、まず天板１ａの取付棒１ｄ側の一端を取付用治具９１の上に載せるとともに、天板１ａの他端を地盤９２の上に載せる。このとき、取付棒１ｄの位置は図４に示すように、取付用治具９１の孔９１ａの位置よりも少し外壁９０寄りの位置とする。そして、座金２３の溝２３ｂに取付棒１ｄが嵌るように座金２３を取付用治具９１の上に載せる。そして、ボルト２１を下側から取付用治具９１の孔９１ａ及び座金２３の孔２３ａに挿通し、ナット２２によって固定する。こうして、実施例１のエキスパンションジョイントカバーの設置が完了する。このように、このエキスパンションジョイントカバーは、設置するときに床部材１に穴あけなどの後加工が不要であり、座金２３の溝２３ｂに取付棒１ｄが嵌るように座金２３を取付用治具９１の上に載せ、ボルト２１とナット２２で固定するだけで施工が完了する。このため、組み付けにそれほどの手間がかからない。また、組み付けによるめっき層への影響はほとんどないため、溶融亜鉛めっきの耐食性を損なうこともない。
【００２０】
次に、実施例１のエキスパンションジョイントカバーの地震時における作用効果について説明する。地震時において、図５及び図６に示すように、外壁９０と地盤９２とが地震動によって接近した場合、床部材１の補強板１ｂが地盤９２の法面９２ａを乗り上げる。これにより、床部材１は、取付棒１ｄを軸として上方に回動する。このため、地震動によって外壁９０と地盤９２とが相対運動しても、エキスパンションジョイントカバーが破損することはない。
【００２１】
（実施例２）
実施例２のエキスパンションジョイントカバーは、図７に示すように、外壁９０と地盤９２の間の溝９３に架設された鋼鉄製の床部材３０と、床部材３０を外壁９０に固定する取付金具４０とを備えている。
【００２２】
床部材３０は、水平面を構成する天板３１を備えており、天板３１は天板本体３１ｂと、天板本体３１ｂの先端に続く先端天板３１ａととからなり、連結金具３２によって連結されている。天板本体３１ｂの裏側には、図８にも示すように、溶接された無数の補強板３３と、補強板３３の周囲を四角く取り囲むように溶接された外周板３４とを有している。先端側の外周板３４には、孔３４ａが貫設されている。また、先端天板３１ａの裏側には、無数の補強板３５が格子状に溶接されており、補強板３５の後部の下端角には、鉄製の丸棒材からなる連結棒３６が溶接によって幅方向に固定されている。また、床部材３０は全体に溶融亜鉛めっきが施されている。
【００２３】
連結金具３２は、図８に示すように、実施例１における取付金具２と同様、ボルト３７とナット３８と座金３９とから構成されており、座金３９にはボルト３７を挿通するための略長方形状の孔３７ａが貫設されており、座金３９の裏側には、連結棒３６と整合する断面Ｕ字形状の溝３９ｂが側面に平行して形成されている。
【００２４】
図７に示された、床部材３０を外壁９０に固定するための取付治具４０は、実施例１の取付金具２と同じであり、説明を省略する。
【００２５】
以上のように構成された実施例２のエキスパンションジョイントカバーは、次のようにして外壁９０と地盤９２の間に架設される。まず、図９に示すように、先端天板３１ａと天板本体３２ｂとを近づけ、連結棒３６を外周板３４の孔３４ａの少し上の位置に当接させる。そして、座金３９の溝３９ｂに連結棒３６が嵌るように座金３９を外周板３４に当接させ、ボルト３２を座金３９の孔３９ａ及び外周板３４の孔３４ａに挿通し、ナット３８によって固定する。こうして、先端天板３１ａと天板本体３２ｂとを連結した床部材３０の両端を取付用治具９１及び地盤９２に載せる。取付用治具９１への固定方法は、実施例１のエキスパンションジョイントカバーと同様であり、説明を省略する。こうして、実施例２のエキスパンションジョイントカバーの設置が完了する。
【００２６】
このエキスパンションジョイントカバーは、地震時において、図１０に示すように、外壁９０と地盤９２とが地震動によって接近した場合、床部材３０の補強板３３が地盤９２の法面９２ａを乗り上げる。このとき、先端天板３１ａは自重によって図８に示す連結棒３６を軸として下方に回動することにより先端天板３１ａと天板本体３１ｂとの間で屈曲する。このため、天板３１の先端が跳ね上がることはなく、通行の妨げとなることはない。
【００２７】
また、このエキスパンションジョイントカバーは、先端天板３１ａと天板本体３１ｂとを連結する場合において、穴あけなどの後加工が不要であり、座金３９の溝３９ｂに連結棒３６が嵌るように座金３９を外周板３４の孔３４ａに整合するように当接させ、ボルト３７とナット３８で固定するだけで連結がが完了する。このため、連結作業にそれほどの手間がかからず、溶融亜鉛めっきの耐食性を損なうこともない。他の作用効果は実施例１のエキスパンションジョイントカバーと同様である。
【００２８】
なお、上記実施例１及び実施例２ののエキスパンションジョイントカバーは鋼鉄に溶融亜鉛めっきが施されたものであるが、これに替えてステンレス製のエキスパンションジョイントカバーとすることももちろん可能である。こうであっても、地震時においてエキスパンションジョイントカバーの床部材が元の位置からずれることによる不都合を防止することができる。
【００２９】
また、この発明は、上記発明の実施の形態及び実施例の説明に何ら限定されるものではない。特許請求の範囲の記載を逸脱せず、当業者が容易に想到できる範囲で種々の変形態様もこの発明に含まれる。
【産業上の利用可能性】
【００３０】
本発明の免震構造物用可動床は、免震構造物周囲に設けられた溝の遮蔽用として用いることができる。
【図面の簡単な説明】
【００３１】
【図１】実施例１のエキスパンションジョイントカバーの施工断面図である。
【図２】実施例１のエキスパンションジョイントカバーの取付部分の部分断面図である。
【図３】座金の平面図である。
【図４】実施例１のエキスパンションジョイントカバーの組み付け方を示す部分断面図である。
【図５】実施例１のエキスパンションジョイントカバーの地震後の状態を示す断面図である。
【図６】実施例１のエキスパンションジョイントカバーの地震後の状態を示す取付部分の部分断面図である。
【図７】実施例２のエキスパンションジョイントカバーの施工断面図である。
【図８】実施例２のエキスパンションジョイントカバーにおける先端天板の取付部分の部分断面図である。
【図９】実施例２のエキスパンションジョイントカバーの先端天板の連結方法を示す部分断面図である。
【図１０】実施例１のエキスパンションジョイントカバーの地震後の状態を示す取付部分の部分断面図である。
【符号の説明】
【００３２】
９０…外壁（免震構造物）
９２…地盤（非免震構造物）
９３…溝
１、３０…床部材
１ｄ…取付棒
２、４０…取付金具（取付手段）
３１ａ…先端天板（第１床部材）
３１ｂ…天板本体（第２床部材）
３２…連結金具（連結手段）
３６…連結棒
【図１】
2007154469.tif 000003
【図２】
2007154469.tif 000004
【図３】
2007154469.tif 000005
【図４】
2007154469.tif 000006
【図５】
2007154469.tif 000007
【図６】
2007154469.tif 000008
【図７】
2007154469.tif 000009
【図８】
2007154469.tif 000010
【図９】
2007154469.tif 000011
【図１０】
2007154469.tif 000012